【手続補正書】
【提出日】平成17年12月14日(2005.12.14)
【手続補正１】
【補正対象書類名】明細書
【補正対象項目名】発明の名称
【補正方法】変更
【補正の内容】
【発明の名称】インクジェット印刷方法及びカラーフィルタの製造方法
【手続補正２】
【補正対象書類名】明細書
【補正対象項目名】特許請求の範囲
【補正方法】変更
【補正の内容】
【特許請求の範囲】
【請求項１】  複数のノズルが配列されたインクジェットヘッドを媒体に対して前記ノズルの配列方向と交差する方向へ相対的に走査させながら前記複数のノズルにより前記媒体上の各着色領域を着色するにあたり、当該着色に使用するノズルを１回の走査毎に変更しながら複数回の走査で前記各着色領域の着色を完成させるインクジェット印刷方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域を前記複数回の走査で着色する際に使用する異なるノズル夫々について算出された複数の吐出ピッチに基づいて、前記異なるノズルからインクを吐出して前記単一の着色領域を前記複数回の走査で着色する工程とを有し、
前記単一の着色領域の着色に使用される前記異なるノズル夫々について定められる複数の吐出ピッチの最小公倍数は１ｍｍ以下であることを特徴とするインクジェット印刷方法。
【請求項２】  複数のノズルが配列されたインクジェットヘッドを媒体に対して前記ノズルの配列方向と交差する方向へ相対的に走査させながら前記複数のノズルにより前記媒体上の各着色領域を着色するにあたり、当該着色に使用するノズルを１回の走査毎に変更しながら複数回の走査で前記各着色領域の着色を完成させるインクジェット印刷方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域を前記複数回の走査で着色する際に使用する異なるノズル夫々について算出された複数の吐出ピッチの平均値を算出する工程と、
前記異なるノズル夫々から平均吐出ピッチでインクを吐出して前記単一の着色領域を前記複数回の走査で着色する工程と、
を有することを特徴とするインクジェット印刷方法。
【請求項３】  複数のノズルが配列されたインクジェットヘッドを媒体に対して前記ノズルの配列方向と交差する方向へ相対的に走査させながら前記複数のノズルにより前記媒体上の各着色領域を着色するにあたり、当該着色に使用するノズルを１回の走査毎に変更しながら複数回の走査で前記各着色領域の着色を完成させるインクジェット印刷方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域の着色に使用するｎ個のノズルのうち、ｍ個（ｎ＞ｍ）のノズルについては他の（ｎ−ｍ）個のノズルからのインク吐出ｑ回（ｑは２以上の整数）に対して１回の割合でインク吐出を行ない、且つ｛ｍ＋（ｎ−ｍ）×ｑ｝個の吐出インクを繰り返し単位とし、且つ上記（ｎ−ｍ）個のノズルの吐出ピッチにそれぞれｑを乗じた値と上記ｍ個のノズルの補正吐出ピッチとの総和を前記単一の着色領域に対する走査の回数で除した値を繰り返し単位ピッチとし、前記繰り返し単位が該繰り返し単位ピッチで配列するように、前記複数回の走査で前記ｎ個ノズルからインクを吐出して前記単一の着色領域を着色する工程と、
を有することを特徴とするインクジェット印刷方法。
【請求項４】  前記単一の着色領域内で隣接する着弾インクのピッチは一定であることを特徴とする請求項３に記載のインクジェット印刷方法。
【請求項５】  前記ｍは１であり、当該ｍ個のノズルは前記単一の着色領域に対する１走査目で使用されるノズルであることを特徴とする請求項３に記載のインクジェット印刷方法。
【請求項６】  複数のノズルが配列されたインクジェットヘッドを基板に対して前記ノズルの配列方向と交差する方向へ相対的に走査させながら前記複数のノズルにより前記基板上の各着色領域を着色するにあたり、当該着色に使用するノズルを１回の走査毎に変更しながら複数回の走査で前記各着色領域の着色を完成させるカラーフィルタの製造方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域の着色に使用する異なるノズル夫々について算出された吐出ピッチに基づいて、前記異なるノズルからインクを吐出して前記単一の着色領域を前記複数回の走査で着色する工程とを有し、
前記単一の着色領域の着色に使用する前記異なるノズル夫々について定められる複数の吐出ピッチの最小公倍数は１ｍｍ以下であることを特徴とするカラーフィルタの製造方法。
【請求項７】  前記複数の吐出ピッチの最小公倍数は０．２５ｍｍ以下であることを特徴とする請求項６に記載のカラーフィルタの製造方法。
【請求項８】  複数のノズルが配列されたインクジェットヘッドを基板に対して前記ノズルの配列方向と交差する方向へ相対的に走査させながら前記複数のノズルにより前記基板上の各着色領域を着色するにあたり、当該着色に使用するノズルを１回の走査毎に変更しながら複数回の走査で前記各着色領域の着色を完成させるカラーフィルタの製造方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域を前記複数回の走査で着色する際に使用される異なるノズル夫々について算出された複数の吐出ピッチの平均値を算出し、平均吐出ピッチを求める工程と、
前記異なるノズル夫々から前記平均吐出ピッチでインクを吐出して前記単一の着色領域を前記複数回の走査で着色する工程と、
を有することを特徴とするカラーフィルタの製造方法。
【請求項９】  複数のノズルが配列されたインクジェットヘッドを基板に対して前記ノズルの配列方向と交差する方向へ相対的に走査させながら前記複数のノズルにより前記基板上の各着色領域を着色するにあたり、当該着色に使用するノズルを１回の走査毎に変更しながら複数回の走査で前記各着色領域の着色を完成させるカラーフィルタの製造方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域の着色に使用するｎ個のノズルのうち、ｍ個（ｎ＞ｍ）のノズルについては他の（ｎ−ｍ）個のノズルからのインク吐出ｑ回（ｑは２以上の整数）に対して１回の割合でインク吐出を行ない、且つ｛ｍ＋（ｎ−ｍ）×ｑ｝個の吐出インクを繰り返し単位とし、且つ上記（ｎ−ｍ）個のノズルの吐出ピッチにそれぞれｑを乗じた値と上記ｍ個のノズルの補正吐出ピッチとの総和を前記単一の着色領域に対する走査の回数で除した値を繰り返し単位ピッチとし、前記繰り返し単位が該繰り返し単位ピッチで配列するように、前記複数回の走査で前記ｎ個ノズルからインクを吐出して前記単一の着色領域を着色する工程と、
を有することを特徴とするカラーフィルタの製造方法。
【請求項１０】  前記基板は隔壁部材を有し、前記着色領域は、前記基板上の隔壁部材で区切られる開口部であることを特徴とする請求項６乃至９のいずれかに記載のカラーフィルタの製造方法。
【手続補正３】
【補正対象書類名】明細書
【補正対象項目名】０００１
【補正方法】変更
【補正の内容】
【０００１】
【発明の属する技術分野】
本発明は、液晶素子の構成部材であるからーフィルタの製造に好ましく用いられている、印刷技術の一つであるインクジェット方式による印刷方法、及び、該印刷方法を用いたカラーフィルタの製造方法に関する。
【手続補正４】
【補正対象書類名】明細書
【補正対象項目名】００１５
【補正方法】変更
【補正の内容】
【００１５】
本発明の第一は、複数のノズルが配列されたインクジェットヘッドを媒体に対して前記ノズルの配列方向と交差する方向へ相対的に走査させながら前記複数のノズルにより前記媒体上の各着色領域を着色するにあたり、当該着色に使用するノズルを１回の走査毎に変更しながら複数回の走査で前記各着色領域の着色を完成させるインクジェット印刷方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域を前記複数回の走査で着色する際に使用する異なるノズル夫々について算出された複数の吐出ピッチに基づいて、前記異なるノズルからインクを吐出して前記単一の着色領域を前記複数回の走査で着色する工程とを有し、
前記単一の着色領域の着色に使用される前記異なるノズル夫々について定められる複数の吐出ピッチの最小公倍数は１ｍｍ以下であることを特徴とするインクジェット印刷方法である。
【手続補正５】
【補正対象書類名】明細書
【補正対象項目名】００１６
【補正方法】変更
【補正の内容】
【００１６】
また本発明の第二は、複数のノズルが配列されたインクジェットヘッドを媒体に対して前記ノズルの配列方向と交差する方向へ相対的に走査させながら前記複数のノズルにより前記媒体上の各着色領域を着色するにあたり、当該着色に使用するノズルを１回の走査毎に変更しながら複数回の走査で前記各着色領域の着色を完成させるインクジェット印刷方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域を前記複数回の走査で着色する際に使用する異なるノズル夫々について算出された複数の吐出ピッチの平均値を算出する工程と、
前記異なるノズル夫々から平均吐出ピッチでインクを吐出して前記単一の着色領域を前記複数回の走査で着色する工程と、
を有することを特徴とするインクジェット印刷方法である。
【手続補正６】
【補正対象書類名】明細書
【補正対象項目名】００１７
【補正方法】変更
【補正の内容】
【００１７】
さらに本発明の第三は、複数のノズルが配列されたインクジェットヘッドを媒体に対して前記ノズルの配列方向と交差する方向へ相対的に走査させながら前記複数のノズルにより前記媒体上の各着色領域を着色するにあたり、当該着色に使用するノズルを１回の走査毎に変更しながら複数回の走査で前記各着色領域の着色を完成させるインクジェット印刷方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域の着色に使用するｎ個のノズルのうち、ｍ個（ｎ＞ｍ）のノズルについては他の（ｎ−ｍ）個のノズルからのインク吐出ｑ回（ｑは２以上の整数）に対して１回の割合でインク吐出を行ない、且つ｛ｍ＋（ｎ−ｍ）×ｑ｝個の吐出インクを繰り返し単位とし、且つ上記（ｎ−ｍ）個のノズルの吐出ピッチにそれぞれｑを乗じた値と上記ｍ個のノズルの補正吐出ピッチとの総和を前記単一の着色領域に対する走査の回数で除した値を繰り返し単位ピッチとし、前記繰り返し単位が該繰り返し単位ピッチで配列するように、前記複数回の走査で前記ｎ個ノズルからインクを吐出して前記単一の着色領域を着色する工程と、
を有することを特徴とするインクジェット印刷方法である。
また本発明の第四は、複数のノズルが配列されたインクジェットヘッドを基板に対して前記ノズルの配列方向と交差する方向へ相対的に走査させながら前記複数のノズルにより前記基板上の各着色領域を着色するにあたり、当該着色に使用するノズルを１回の走査毎に変更しながら複数回の走査で前記各着色領域の着色を完成させるカラーフィルタの製造方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域の着色に使用する異なるノズル夫々について算出された吐出ピッチに基づいて、前記異なるノズルからインクを吐出して前記単一の着色領域を前記複数回の走査で着色する工程とを有し、
前記単一の着色領域の着色に使用する前記異なるノズル夫々について定められる複数の吐出ピッチの最小公倍数は１ｍｍ以下であることを特徴とするカラーフィルタの製造方法である。
さらに本発明の第五は、複数のノズルが配列されたインクジェットヘッドを基板に対して前記ノズルの配列方向と交差する方向へ相対的に走査させながら前記複数のノズルにより前記基板上の各着色領域を着色するにあたり、当該着色に使用するノズルを１回の走査毎に変更しながら複数回の走査で前記各着色領域の着色を完成させるカラーフィルタの製造方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域を前記複数回の走査で着色する際に使用される異なるノズル夫々について算出された複数の吐出ピッチの平均値を算出し、平均吐出ピッチを求める工程と、
前記異なるノズル夫々から前記平均吐出ピッチでインクを吐出して前記単一の着色領域を前記複数回の走査で着色する工程と、
を有することを特徴とするカラーフィルタの製造方法である。
またさらに本発明の第六は、複数のノズルが配列されたインクジェットヘッドを基板に対して前記ノズルの配列方向と交差する方向へ相対的に走査させながら前記複数のノズルにより前記基板上の各着色領域を着色するにあたり、当該着色に使用するノズルを１回の走査毎に変更しながら複数回の走査で前記各着色領域の着色を完成させるカラーフィルタの製造方法であって、
前記複数のノズル夫々について、単一の着色領域を着色するのに必要なインク量とノズルからの１回のインク吐出量に基づいて前記単一の着色領域を同じノズルで着色する場合の吐出ピッチを算出する工程と、
前記単一の着色領域の着色に使用するｎ個のノズルのうち、ｍ個（ｎ＞ｍ）のノズルについては他の（ｎ−ｍ）個のノズルからのインク吐出ｑ回（ｑは２以上の整数）に対して１回の割合でインク吐出を行ない、且つ｛ｍ＋（ｎ−ｍ）×ｑ｝個の吐出インクを繰り返し単位とし、且つ上記（ｎ−ｍ）個のノズルの吐出ピッチにそれぞれｑを乗じた値と上記ｍ個のノズルの補正吐出ピッチとの総和を前記単一の着色領域に対する走査の回数で除した値を繰り返し単位ピッチとし、前記繰り返し単位が該繰り返し単位ピッチで配列するように、前記複数回の走査で前記ｎ個ノズルからインクを吐出して前記単一の着色領域を着色する工程と、
を有することを特徴とするカラーフィルタの製造方法である。